(57)【特許請求の範囲】
【請求項１】
ハウジング（２）と、該ハウジング（２）内に配置された回路基板を該ハウジング（２）の外に存在する電力供給と接続する少なくとも１つのバスバー（４）と、を備える装置であって、前記ハウジング（２）は開口部（３）を備え、該開口部（３）から前記バスバー（４）が突出する装置において、
フェライトコア（１０）および該フェライトコア（１０）を受容する成形シール材（５）が、前記ハウジング（２）の前記開口部（３）内へ媒体不浸透的に導入されており、および前記フェライトコア（１０）を備えた前記成形シール材（５）は、前記バスバー（４）を形状結合的に包囲することを特徴とする装置。
【請求項２】
請求項１に記載の装置であって、前記バスバー（４）はプラスチック絶縁体（１１）を備えることを特徴とする装置。
【請求項３】
請求項２に記載の装置であって、前記プラスチック絶縁体（１１）は、前記バスバー（４）の部分（１３）において前記ハウジング（２）の前記開口部（３）の領域に、および／または部分（１４）において前記ハウジング（２）の外に、存在することを特徴とする装置。
【発明の詳細な説明】
【技術分野】
【０００１】
本発明は、ハウジングと、ハウジング内に配置された回路基板をハウジングの外に存在する電力供給と接続する少なくとも１つのバスバーと、を備える装置に関する。ハウジングは開口部を備え、この開口部からバスバーが突出する。
【背景技術】
【０００２】
燃焼駆動および電気駆動を備える自動車用の駆動装置においては、電気機械を制御および調整するための回路基板が備わる。これら回路基板は、回路基板が属する制御装置において、通常は空間的に電気機械に近接して位置する。この位置により、対応して電力供給が制限される。この場合、回路基板への電力供給ラインを無視できないことに起因して、回路基板へのラインにおいて高周波干渉が発生する可能性が、不利であると知られている。しかしながら、回路基板が媒体不浸透的に閉鎖され、例えば水のような環境の影響により回路基板が破損に至ることがないよう、追加的に確実を期す必要もある。
【発明の概要】
【発明が解決しようとする課題】
【０００３】
本発明の課題は、干渉の無い状態での電力供給を確保して、回路基板が媒体不浸透的に保護されつつ収容された、請求項１の前提部に記載の装置を提供することである。
【課題を解決するための手段】
【０００４】
この課題は、有効な請求項１の記載の特徴を備えた装置により解決される。本発明の更なる有利な実施形態は、明細書、請求項および図面により明らかとなる。
【０００５】
本発明は、ハウジングと、ハウジング内に配置された回路基板をハウジングの外に存在する電力供給と接続する少なくとも１つのバスバーと、を備える装置に関する。ハウジングは開口部を備え、この開口部からバスバーが突出する。
【０００６】
装置は、フェライトコアおよびフェライトコアを受容する成形シール材を備える。成形シール材は、ハウジングの開口部内へ媒体不浸透的に導入されている。更に、フェライトコアを備えた成形シール材は、バスバーを形状結合型に包囲する。
【０００７】
これにより確実に、一方では高周波干渉がバスバーにおいて減衰され、および、他方では回路基板が環境の影響に対して保護される。
【０００８】
バスバーは、特にハウジング内に位置するバスバーの端部に、接触部を備える。この接触部により、回路基板上の接点との接続を構築可能である。バスバーは、ハウジングの外に位置するバスバーの端部に、接触部を備える。この接触部により、電力供給に対する接続を構築可能である。
【０００９】
実施形態において、バスバーはプラスチック絶縁体を備える。このプラスチック絶縁体は、バスバーを腐食または他の破損に対して保護する役割を果たす。プラスチック絶縁体は、例えば熱可塑性プラスチックまたはデュロプラスト（熱硬化性樹脂）とすることが可能である。
【００１０】
更なる実施形態において、プラスチック絶縁体は、バスバーの部分においてハウジングの開口部の領域に、および／または部分においてハウジングの外に、存在する。
【００１１】
もちろん、装置が複数のバスバーを備えることも可能である。この場合、各バスバーに対して、少なくとも１つのフェライトコアが割り当てられている。しかしながら、１つのフェライトコアが複数のバスバーを包囲することも可能である。この場合、複数のバスバーを共通の成形シール材に配置可能である。しかしながら、各バスバーを個々のシール材に配置することも可能である。共通の成形シール材に配置することの利点は、それにより複数のバスバーを、スペースを節約して配置可能なことである。
【００１２】
本発明による装置の取り付け方法では、第１ステップにおいて、プラスチック絶縁体によりバスバーを絶縁可能である。第２ステップにおいて、フェライトコアを成形シール材内へ挿設する。第３ステップにおいて、フェライトコアを備えた成形シール材を、バスバー上でスライドさせる。
【００１３】
本発明を、以下に図面を参照して詳説する。
【図面の簡単な説明】
【００１４】
【図１】本発明の一実施形態に係る装置の断面図である。
【発明を実施するための形態】
【００１５】
図面は、本発明による装置の部分の、概略的な断面図を示す。装置１は、開口部３を有するハウジング２を備える。開口部３を通って、バスバー４が導かれる。バスバー４は、外部の電力供給（図示せず）を回路基板（図示せず）と接続する。回路基板は、ハウジング２の内部に位置している。
【００１６】
ハウジング２の開口部３内には、成形シール材５を認めることができる。成形シール材５は、実質的にリング状に構成されており、および内径７の領域に径方向のリセス９を備える。径方向のリセス９内に、フェライトコア１０を挿入可能である。フェライトコア１０は、１個部品または複数個部品のリングコアとして構成されている。もちろんフェライトコア１０は、Ｃ字型コアまたはＵ字型コアとして構成可能である。
【００１７】
しかしながら、フェライトコア１０を成形シール材５と一体化する、つまり成形シール材５がフェライトコア１０を完全に包囲する形態も考慮可能である。成形シール材５は、外径６の領域および／または内径７の領域に、周方向のシールリップ８を備える。このシールリップ８は、一方では、ハウジング２と成形シール材５の間、または成形シール材５とバスバー４の間で、水分がハウジング２へ到達可能となることを防ぐ役割を果たす。他方でこのシールリップ８は、成形シール材５をハウジング２の開口部３内に堅固に固定し、例えば振動に起因して、成形シール材５が開口部３から脱落することを防止する。
【００１８】
バスバー４には、プラスチック絶縁体１１が射出成型されている。この場合プラスチック絶縁体１１は、バスバー４の部分１３においてハウジングの開口部３の領域に、およびバスバー４の部分１４においてハウジング２の外に、構成されている。プラスチック絶縁体１１が、カラー部１２を備えることが有効である。このカラー部１２は、ハウジング２に接し、および一方ではバスバー４を取り付ける際のバスバー４用のストッパとして、そして他方では追加的なシール材として、の役割を果たす。プラスチック絶縁体１１により構成されたカラー部１２により、水分が、成形シール材５とハウジング２の間の領域に到達可能となることが防止される。
【符号の説明】
【００１９】
１  装置
２  ハウジング
３  開口部
４  バスバー
５  成形シール材
６  外径
７  内径
８  シールリング
９  リセス
１０  フェライトコア
１１  絶縁体
１２  カラー部
１３  バスバーの部分
１４  バスバーの部分
【図１】
0006629839.tif 000002